(57)【要約】【課題】読取り解像度が複数段階に亘って切替え可能な原稿読取り装置において、原稿の読取り所要時間を短縮する。【解決手段】スキャナ装置に接続されたパソコンは、予備読取りにおいてスキャナ装置に最も低い解像度（最も速い原稿送り速度）で原稿の読取りを実行させ、読取り画像を記憶する（Ｓ３）。パソコンは、記憶された画像を、画像情報の密集度が比較的高い本読取りエリアと、それ以外の粗読取りエリアに区分し、本読取りエリアには指定解像度を適用し、粗読取りエリアには低い解像度を適用する制御データを作成し（Ｓ４）、本読取りにおいて、次読取りラインに指定解像度が適用されるか否かを判断し（Ｓ６）、ＹＥＳの場合は、指定解像度（遅い原稿送り速度）による読取りを行い（Ｓ７）、ＮＯの場合は、低解像度（速い原稿送り速度）による読取りを行う（Ｓ８）。原稿の全面が同一の解像度で読取られる場合に比べて読取り所要時間が短縮される。【選択図】図３
2009049788.tif 000002
【特許請求の範囲】
【請求項１】
読取り解像度が複数段階に亘って切替え可能な原稿読取り装置を制御するコンピュータを、
前記原稿読取り装置に最も低い解像度で予備読取りを実行させる予備読取り実行手段、
前記予備読取り実行手段による予備読取りによって取得した画像データに基づいて原稿のエリア毎の画像情報の密集度を検出する密集度検出手段、及び
前記原稿読取り装置に、前記密集度検出手段によって検出されたエリア毎の画像情報の密集度に基づいて読取り解像度を変更させつつ再度読取りを実行させる本読取り実行手段、
として機能させるための画像情報処理プログラム。
【請求項２】
読取り解像度が複数段階に亘って切替え可能な原稿読取り装置を制御するコンピュータを、
前記原稿読取り装置に最も低い解像度で予備読取りを実行させる予備読取り実行手段、
前記予備読取り実行手段による予備読取りによって取得した画像データに基づいて原稿のエリア毎の画像情報の密集度を検出する密集度検出手段、及び
前記原稿読取り装置に、前記密集度検出手段によって検出されたエリア毎の画像情報の密集度に基づいて読取り解像度を変更させつつ再度読取りを実行させる本読取り実行手段、
として機能させるための画像情報処理プログラムを記録したコンピュータ読取り可能な記録媒体。
【請求項３】
読取り解像度が複数段階に亘って切替え可能な原稿読取り装置において、
最も低い解像度で予備読取りを実行する予備読取り実行手段と、
前記予備読取り実行手段による予備読取りによって取得した画像データに基づいて原稿のエリア毎の画像情報の密集度を検出する密集度検出手段と、
前記密集度検出手段によって検出されたエリア毎の画像情報の密集度に基づいて読取り解像度を変更しつつ再度読取りを実行する本読取り実行手段と、を備えることを特徴とする原稿読取り装置。
【請求項４】
ユーザが選択することによって前記原稿読取り装置による読取り解像度を指定するための解像度入力手段と、
前記本読取り実行手段による本読取り時に、前記密集度検出手段によって検出されたエリア毎の画像情報の密集度に基づいて、所定の密集度以上のエリア（以下、本読取りエリアという）については、ユーザが前記解像度入力手段を用いて入力した読取り解像度（以下、指定解像度という）を適用し、前記本読取りエリア以外のエリアについては、前記指定解像度よりも低い読取り解像度を適用する解像度設定手段と、をさらに備えることを特徴とする請求項３に記載の原稿読取り装置。
【発明の詳細な説明】
【技術分野】
【０００１】
本発明は、画像情報処理プログラム、画像情報処理プログラムを記録したコンピュータ読取り可能な記録媒体、及び原稿読取り装置に関する。
【背景技術】
【０００２】
従来から、原稿読取り装置において、低解像度で予備読取り動作を行って原稿に記録された画像情報の種類を判定し、画像情報の種類に応じた色の補正テーブルを作成し、その後ユーザが指定する解像度で本読取りを実行して取得した画像データの色を、補正テーブルに基づいて補正するものが知られている（例えば、特許文献１参照）。この原稿読取り装置では、原稿が新聞紙や再生紙等の地色が白色ではない用紙である場合でも、読取った画像データの背景が白色になるように補正される。
【０００３】
また、ファクシミリ機能を有する画像形成装置において、通信時間の短縮を図るために、予め原稿を高い解像度で読込んで、原稿面を文字の大きさに応じた複数の領域に区分し、ファクシミリ送信するための画像データを作成するときに、文字の大きさが大きい領域は低解像度で読込み、文字の大きさが小さい領域は高解像度で読込むことによってその後にファクシミリ送信をするときのトータルのデータ量を抑制するものが知られている（例えば、特許文献２参照）。
【特許文献１】特開２００２−１６７９８号公報
【特許文献２】特開２００２−３３９１０号公報
【発明の開示】
【発明が解決しようとする課題】
【０００４】
ところで、ライン状読取りセンサが原稿に対して一方向に平行移動して（スキャンして）原稿面の画像情報を読取る原稿読取り装置では、読取り解像度が高くなるほど読取りセンサの移動速度が遅くなるので読取り動作自体に要する時間が長くなる。ユーザは、一般的に上記のような読取り解像度と読取り所要時間との関係を理解しているので、読取り作業に要する時間を短くするために、読取り解像度を低目に設定しようとするが、読取り解像度を低目に設定することによって、読取った画像データが結果的にユーザにとって満足のいく画像とはならない可能性が高くなる。ユーザにとって満足がいく画像が得られなかった場合には、ユーザは読取り解像度の設定値を数段階上げて再度面倒な読取り作業を行わなければならない。結局、上記のような事情から、多くのユーザは読取り作業に要する時間を少しでも短縮したいと望みながら、読取り解像度の設定に際しては、標準的な解像度か、あるいは再読取り作業を回避したい意向が強い場合には標準より高目の解像度（遅い読取り速度）を選択している。
【０００５】
一方、従来の原稿読取り装置では、ユーザが読取り解像度を設定した後に読取り動作が開始されると、ライン状読取りセンサは、設定された読取り解像度に対応する一定の速度で移動して原稿の全面を読取る。つまり、従来の原稿読取り装置では、原稿の全面に亘って同一の解像度（同一の読取り速度）による読取りが行われるようになっており、読取り所要時間の可及的な短縮化を図るという点では問題が残っていた。具体的に説明すると、原稿表面には、区切り線とか罫線等の決まり切った形状の部分や、文章原稿であれば文章の前後の余白部分等の高い解像度で読取ることが必要ではない（主要ではない）部分が存在するが、従来の原稿読取り装置では、それらの主要ではない部分についても一律の読取り解像度で読取り動作を行っており、その分だけ余分な読取り時間を要することとなっていた。
【０００６】
そこで、本発明は、読取り解像度が複数段階に亘って切替え可能な原稿読取り装置、及び該原稿読取り装置を制御するコンピュータにおいて、原稿読取り装置による原稿の読取り所要時間を可及的に短縮することができる、原稿読取り装置、画像情報処理プログラム、及び画像情報処理プログラムを記録した記録媒体を提供することを目的とする。
【課題を解決するための手段】
【０００７】
上記目的を達成するために、請求項１の発明は、読取り解像度が複数段階に亘って切替え可能な原稿読取り装置を制御するコンピュータを、前記原稿読取り装置に最も低い解像度で予備読取りを実行させる予備読取り実行手段、前記予備読取り実行手段による予備読取りによって取得した画像データに基づいて原稿のエリア毎の画像情報の密集度を検出する密集度検出手段、及び前記原稿読取り装置に、前記密集度検出手段によって検出されたエリア毎の画像情報の密集度に基づいて読取り解像度を変更させつつ再度読取りを実行させる本読取り実行手段、として機能させるための画像情報処理プログラムである。
【０００８】
請求項２の発明は、読取り解像度が複数段階に亘って切替え可能な原稿読取り装置を制御するコンピュータを、前記原稿読取り装置に最も低い解像度で予備読取りを実行させる予備読取り実行手段、前記予備読取り実行手段による予備読取りによって取得した画像データに基づいて原稿のエリア毎の画像情報の密集度を検出する密集度検出手段、及び前記原稿読取り装置に、前記密集度検出手段によって検出されたエリア毎の画像情報の密集度に基づいて読取り解像度を変更させつつ再度読取りを実行させる本読取り実行手段、として機能させるための画像情報処理プログラムを記録したコンピュータ読取り可能な記録媒体である。
【０００９】
請求項３の発明は、読取り解像度が複数段階に亘って切替え可能な原稿読取り装置において、最も低い解像度で予備読取りを実行する予備読取り実行手段と、前記予備読取り実行手段による予備読取りによって取得した画像データに基づいて原稿のエリア毎の画像情報の密集度を検出する密集度検出手段と、前記密集度検出手段によって検出されたエリア毎の画像情報の密集度に基づいて読取り解像度を変更しつつ再度読取りを実行する本読取り実行手段と、を備えることを特徴とする。
【００１０】
請求項４の発明は、請求項３の発明において、ユーザが選択することによって前記原稿読取り装置による読取り解像度を指定するための解像度入力手段と、前記本読取り実行手段による本読取り時に、前記密集度検出手段によって検出されたエリア毎の画像情報の密集度に基づいて、所定の密集度以上のエリア（以下、本読取りエリアという）については、ユーザが前記解像度入力手段を用いて入力した読取り解像度（以下、指定解像度という）を適用し、前記本読取りエリア以外のエリアについては、前記指定解像度よりも低い読取り解像度を適用する解像度設定手段と、をさらに備えることを特徴とする。
【発明の効果】
【００１１】
請求項１乃至３の発明によれば、原稿のエリア毎の画像情報の密集度に応じて読取り解像度を変更させつつ読取りを実行し、かつ、予備読取りは最も低い解像度で実施するので、原稿読取り装置による原稿の読取り所要時間を可及的に短縮することができる。
【００１２】
請求項４の発明によれば、上記効果に加えて、原稿の画像情報の所定の密集度以上のエリアについては、ユーザが指定した解像度で読取りを実行するので、ユーザが満足のいく画像を容易に得ることができる。
【発明を実施するための最良の形態】
【００１３】
以下、本発明の一実施形態について図面を参照して説明する。本実施形態の原稿読取り装置１は、図１に示されるように、スキャナ装置２と、該スキャナ装置２に接続されたパソコン３とを備えている。
【００１４】
スキャナ装置２は、ユーザが挿入した原稿を読取り位置へ送る原稿送り部４と、ＣＩＳ（Ｃｏｎｔａｃｔ  Ｉｍａｇｅ  Ｓｅｎｓｏｒ）等のライン状読取りセンサから構成される読取り部５と、原稿送り部４、読取り部５を制御する制御部６と、電源入切キー、読取り開始キー等のユーザがマニュアルで操作可能な操作部７と、種々の設定値等のデータを一時記憶する記憶部８と、パソコン３との通信を行うための通信部９と、を備える。
【００１５】
制御部６はマイクロプロセッサから構成され、原稿送り部４による原稿を送るタイミングの制御、読取り部によって読取られた画像のパソコン３への送信制御、及びスキャナ装置２全体の制御を行う。本実施形態のスキャナ装置２は、読取り解像度が２００、４００、８００、１６００ｄｐｉの４段階に亘って切替え可能になっており、スキャナ装置２が単独で使用されるときには、ユーザが操作部７のアップダウンキー等を操作することによって切替えることができ、スキャナ装置２がパソコン３に接続されて使用されるときには、パソコン３からの制御信号によって切替えられるようになっている。
【００１６】
ここで、スキャナ装置２の原稿送り部４について、図２（ａ）〜（ｃ）を参照して説明する。本実施形態のスキャナ装置２の原稿送り部４は、スキャナ装置２の筐体２１に支持され、緩い傾斜を有する原稿載せ台２２と、原稿載せ台２２上に挿入された原稿Ｄを巻き込んで原稿読取り位置ｒへ送り出す回転ローラ２３と、モータ等から構成される回転ローラ２３の駆動部（不図示）と、を備える。原稿読取り位置ｒは、読取り部５のライン状読取りセンサ５１の上方に形成される。読取りセンサ５１は、図示しないキャリッジに搭載されており、筐体２１の上面に沿って移動することもできる。
【００１７】
本実施形態のスキャナ装置２では、後述する読取り処理が開始されると、原稿載せ台２２上に載置された原稿Ｄが、回転ローラ２３と同調して回転する補助ローラ（不図示）によって回転ローラ２３の方向へ送り出され（図２（ａ）の矢印ａ）、続いて回転ローラ２３の回転によって原稿Ｄの画像情報が印字された面がライン状読取りセンサ５１に対向するようにして筐体２１上面方向へと送り出され（図２（ｂ）の矢印ｂ）、静止している読取りセンサ５１によって原稿Ｄの画像情報が読取られる（予備読取り）。そして、原稿Ｄの後端Ｄｔが回転ローラ２３を離れる直前に回転ローラ２３の回転が一旦停止され、次に回転ローラ２３が逆方向に回転されて、原稿Ｄは、逆の方向（図２（ｃ）の矢印ｃ方向）へ送られて再び原稿載せ台２２上に戻される。この原稿Ｄの逆方向への移送途中においても原稿Ｄの画像情報が読取りセンサ５１によって読取られる（本読取り）。上記予備読取り、及び本読取りにおける読取り解像度（回転ローラ２３による原稿の送り速度）については、後に詳述する。
【００１８】
再び図１に戻って説明すると、パソコン３は、マイクロプロセッサから構成される制御部１１と、スキャナ装置２との通信を行うための通信部１２と、スキャナ装置２によって読取られた画像を記憶するハードディスクから構成される大容量の記憶部１３と、キーボード、マウス等から構成される操作部１４と、ＣＲＴ、液晶パネル等の表示デバイスから構成される表示部１５とを備える。本発明に係る画像情報処理プログラムは、記憶部１３に記憶されており、ユーザがスキャナ装置２を使用して原稿の読取りを行うときには、該画像情報処理プログラムが記憶部１３から読出されて実行される。
【００１９】
次に、画像情報処理プログラムによって実行される原稿の読取り動作について、図３のフローチャートを参照して説明する。ユーザがパソコン３を起動して画像情報処理プログラムを実行させると、表示部１５にスキャナ装置２の操作画面が表示される（Ｓ１）。操作画面には、スキャナ装置２による読取り時の種々の条件（解像度、濃度、原稿サイズ等）を入力するための画面が含まれる。解像度を入力するための画面ＳＳの例を図４に示す。
【００２０】
ユーザは、操作部１４のキーボード、又はマウスを操作して具体的な解像度の数値（２００ｄｐｉ・・１６００ｄｐｉ）にチェックマークｍｓを付すことによって読取り解像度を選択する。本例では、読取り解像度として８００ｄｐｉが選択されているものとする。ユーザによって選択された解像度（指定解像度）は、制御部１１のＲＡＭ（不図示）、又は記憶部１３に一時記憶される。なお、解像度の段階は、２００ｄｐｉが段階「１」であり、４００ｄｐｉ、８００ｄｐｉ、１６００ｄｐｉがそれぞれ段階「２」、「３」、「４」である。以後の説明において解像度Ｘは、段階（１〜４のいずれか）を表わすものとする。
【００２１】
次に、制御部１１は、読取り解像度（Ｘ）の選択が完了しているか否かを判断し（Ｓ２）、選択が完了している場合（Ｓ２でＹＥＳ）、通信部９、１２を介してスキャナ装置２の制御部６に読取り解像度（Ｘ）の情報を送信すると共に、読取り解像度（Ｘ）の段階に関わらず最も低い解像度１（２００ｄｐｉ）で予備読取りを実行させる（Ｓ３）。
【００２２】
Ｓ３の予備読取りにおける原稿送り部４の動作は、原稿載せ台２２上に載置された原稿Ｄが、回転ローラ２３によってスキャナ装置２の筐体２１上面方向へと送り出される前述の工程（図２（ａ）→図２（ｂ））に相当する。この予備読取りにおいて回転ローラ２３は最も速い速度で回転され、原稿Ｄは最も速い速度で移送される。従って、この予備読取り動作は、短時間で終了する。
【００２３】
なお、この予備読取り動作は、本読取り動作に先行して行われる動作であるので、所要時間は極力短い方がよいことから、通常のスキャナ装置では採用されないような特別に低い解像度（例えば、２５ｄｐｉ等）であってもよい。上記のように特別に採用される低い解像度は、Ｓ１において表示部１５に表示される入力画面にはユーザが選択できる読取り解像度として表示しない方が好ましい。
【００２４】
次に、予備読取り動作を終了したスキャナ装置２は、読取った画像データを通信部９、１２を介してパソコン３へ送信し、パソコン３の制御部１１は、該画像データを記憶部１３のハードディスクに一旦記憶した後、画像情報の密集度に応じて所定の密集度（以下、基準密集度という）以上のエリア（以下、本読取りエリア）と、本読取りエリア以外のエリア（以下、粗読取りエリアという）に区分し、各エリアに対して適用する解像度を設定する（Ｓ４）。
【００２５】
画像情報の密集度とは、画像データにおける画像情報（文字、図形、記号等）の集合度合を指し、例えば、単位面積内に記録されている文字で考えると、小さな文字で多数記録されている方が、大きな文字で少数記録されたものよりも密集度が高い。画像情報の密集度の検出方法としては、画像データを構成する画素の水平ライン（ライン状読取りセンサ５１の読取りラインに対応）において白画素と黒画素の出現が偏っているか、分散されているかを検出する方法が挙げられる。例えば、図５（ａ）に示されるように白画素と黒画素が交互に現れる画像データは、図５（ｂ）に示されるように白画素と黒画素が高い頻度で連続して現れる画像データよりも密集度が高いと考えられる。このような場合に、白画素に対してディジタル値「０」を対応付け、黒画素に対してディジタル値「１」を対応付け、隣接する画素毎のディジタル値の差分の合計を算出することによって密集度の高低を判断することができる。図５の例では、隣接する画素毎のディジタル値の差分の合計は、図５（ａ）の画像データの方が図５（ｂ）の画像データよりも明らかに大きくなることから、前者の画像データの方が画像情報の密集度が高いと判断できる。
【００２６】
Ｓ４においてパソコン３の制御部１１が行うエリアの区分、及び解像度の設定について、図６を参照して具体的に説明する。いま、記憶部１３に記憶された画像データＤｐが、図６に示されるような、多数の文字から構成される文章部分Ｌ１、Ｌ２と、写真部分Ｐと、手書き部分（サイン等）Ｍと、余白部分Ｎ１、Ｎ２とを有するものであり、基準密集度は、手書き部分Ｍに代表されるような大部分が白色である領域の密集度と同等の密集度に設定されているとする。この場合には、パソコン３の制御部１１は、図６に示される画像データＤｐを、前述の方法によって水平ライン毎に基準密集度と比較し、上から順に、余白部分Ｎ１は粗読取りエリア、文章部分Ｌ１は本読取りエリア、余白部分Ｎ２は粗読取りエリア、手書き部分Ｍは粗読取りエリア、文章部分Ｌ２は本読取りエリア、と判定する。なお、写真部分Ｐは水平方向において文章部分Ｌ１と重なっているので、本読取りエリアと判定される。さらに、パソコン３の制御部１１は、画像データＤｐの本読取りエリア（文章部分Ｌ１、Ｌ２）に対してユーザが選択した指定解像度（Ｘ＝３）を適用し、粗読取りエリア（余白部分Ｎ１、Ｎ２、手書き部分Ｍ）に対して解像度１を適用することを決定し、これらの水平ライン毎の適用解像度のデータを、画像データＤｐを構成する水平ライン毎の制御データとして記憶部１３に記憶する。
【００２７】
次に、パソコン３の制御部１１は、スキャナ装置２の制御部６へ制御信号を送信して原稿送り部４に所定の動作をさせて本読取り動作を開始させる（Ｓ５）。この本読取り動作時の原稿送り部４の動作は、筐体２１上面に送り出された原稿Ｄが回転ローラ２３の逆回転によって原稿載せ台２２へと戻される前述の工程（図２（ｃ））に相当する。本読取りにおいて回転ローラ２３の回転速度は、本読取りエリアと粗読取りエリアの区別に応じて変更され、読取り解像度がそれぞれ指定解像度（Ｘ＝３）と解像度１に変更される。
【００２８】
すなわち、パソコン３の制御部１１は、本読取りが開始されると、記憶部１３から上記の水平ライン毎の制御データを読出して、次に読取る水平ラインは指定解像度（Ｘ＝３）が適用されるラインか否かを判断し（Ｓ６）、指定解像度（Ｘ＝３）が適用されるラインである場合には（Ｓ６でＹＥＳ）、回転ローラ２３を遅い回転速度として指定解像度（Ｘ＝３）による読取りを行い（Ｓ７）、指定解像度（Ｘ＝３）が適用されるラインでない場合には（Ｓ６でＮＯ）、回転ローラ２３を早い回転速度として解像度１による読取りを行う（Ｓ８）。Ｓ６〜Ｓ８は、制御部１１が、Ｓ９において、読取りを完了したと判断するまで（Ｓ９でＹＥＳ）繰り返される。
【００２９】
図６に示される画像データＤｐの場合には、文章部分Ｌ１、Ｌ２（本読取りエリア）については指定解像度（Ｘ＝３）が適用されて、原稿Ｄが比較的遅い速度で送られつつ読取りが行われ、余白部分Ｎ１、Ｎ２、及び手書き部分Ｍ（粗読取りエリア）については低解像度が適用されて、原稿Ｄが速い速度で送られつつ読取りが行われる。従って、従来装置のように原稿Ｄの全面に亘って指定解像度（Ｘ＝３）が適用されて読取りが行われる場合に比べて読取りに要する時間は短縮される。
【００３０】
原稿Ｄが回転ローラ２３の逆回転によって原稿載せ台２２に戻されて本読取り動作が終了すると（Ｓ１０）、パソコン３の制御部１１は、本読取り動作において読取ったデータを記憶部１３に記憶して保存する（Ｓ１１）。
【００３１】
なお、Ｓ４において、パソコン３の制御部１１が画像データを本読取りエリアと粗読取りエリアに区分するための基準密集度は、固定値として予め記憶部１３に記憶されていてもよいし、ユーザが操作部１４を操作することによって記憶部１３に記憶されたデフォルト値が変更され、その変更後の値が基準密集度として設定されるものであってもよい。
【００３２】
ユーザの操作によって基準密集度が変更可能に構成される場合には、ユーザは、基準密集度を高めに設定することによって、ユーザが取得を希望する高解像度の画像の領域を容易に狭い範囲に絞ることができ、読取り時間自体も短縮することができる。
【００３３】
また、本実施形態では、Ｓ８において実行される低解像度読取り時の読取り解像度（２００ｄｐｉ）と、Ｓ３において実行される予備読取り時の読取り解像度（２００ｄｐｉ）とが同一であるので、パソコン３の制御部１１は、Ｓ８において、原稿送り部４に所定の動作をさせて原稿Ｄを速い速度で移送させるのみで、読取り部５による画像データの読取りは行わず、Ｓ３において取得して記憶部１３に記憶されている画像データを、粗読取りエリアの画像データとして利用するようにしてもよい。
【００３４】
さらに、パソコン３の制御部１１がＳ４において実行するエリアの区分について、画像情報の密集度が基準密集度に満たない粗読取りエリアをさらに画像情報の密集度に応じて２種類のエリアに区分し、Ｓ８において実行する低解像度による読取りを、上記２種類のエリア別に２種類の低解像度に切替えて行うようにしてもよい。
【００３５】
例えば、制御部１１は、Ｓ４において、粗読取りエリアを、画像情報の密集度が、余白部分Ｎ１、Ｎ２に相当する程度に極めて低い第１粗読取りエリアと、画像情報の密集度が、前記第１粗読取りエリアより高く、手書き部分Ｍに相当する程度の密集度を有する第２粗読取りエリアとに区分し、Ｓ８において、第１粗読取りエリア（余白部分Ｎ１、Ｎ２）について、例えば２００ｄｐｉの読取り解像度を適用し、第２粗読取りエリア（手書き部分Ｍ）について、例えば４００ｄｐｉの読取り解像度を適用するようにしてもよい。この場合には、手書き部分Ｍのような、画像情報の密集度が低い部分の解像度が向上する。
【００３６】
さらに、本実施形態では、原稿載せ台２２上に載置された原稿Ｄが筐体２１の上面方向へ送り出される間に予備読取りが行われ、回転ローラ２３が逆転して原稿Ｄが逆送され再び原稿載せ台２２上へ戻される間に本読取りが行われるように構成しているが、上記逆送によって原稿載せ台２２上に戻された原稿Ｄを、回転ローラ２３の正回転によって再度筐体２１の上面方向へ送り出すように構成して、この２回目の筐体２１の上面方向への送り出し時に本読取りを行うように構成してもよい。
【図面の簡単な説明】
【００３７】
【図１】本発明の一実施形態に係る原稿読取り装置の全体を示すブロック構成図。
【図２】（ａ）は同原稿読取り装置のスキャナ装置において原稿が原稿読取り位置へ向けて送り出される状態を示す図、（ｂ）は同原稿読取り装置のスキャナ装置において回転ローラの順回転によって原稿の１／３程度が原稿読取り位置を越えて送り出された状態を示す図、（ｃ）は同原稿読取り装置のスキャナ装置において回転ローラの逆回転によって原稿が原稿読取り位置を越えて再び原稿載せ台上へ向けて送り出される状態を示す図。
【図３】同原稿読取り装置における読取り処理のフローチャート。
【図４】同原稿読取り装置におけるユーザが読取り解像度を入力するための画面の一例を示す図。
【図５】（ａ）は同原稿読取り装置における比較的密集度が高い画像情報の水平ラインの一部を示す図、（ｂ）は同原稿読取り装置における比較的密集度が低い画像情報の水平ラインの一部を示す図。
【図６】同原稿読取り装置における画像データの例を示す図。
【符号の説明】
【００３８】
１  原稿読取り装置
１１  制御部（コンピュータ、予備読取り実行手段、密集度検出手段、本読取り実行手段、解像度入力手段、解像度設定手段）
Ｄ  原稿
【図１】
2009049788.tif 000003
【図２】
2009049788.tif 000004
【図３】
2009049788.tif 000005
【図４】
2009049788.tif 000006
【図５】
2009049788.tif 000007
【図６】
2009049788.tif 000008